(57)【特許請求の範囲】
【請求項１】
表表紙と裏表紙との間に、所定頁分からなる複数の頁用紙が挟み込まれ、前記表表紙と前記裏表紙と前記頁用紙とが背側で綴り合わされてなる冊子において、
前記複数の頁用紙のうち、連続した頁用紙束を構成する各頁用紙の用紙面には、前記冊子の小口側の端部から背側方向に対する所定幅の領域に、所定の画像の全体パターンを縦方向に分割した画像分割パターンが、横方向に所定の等間隔として縦方向に分割した位置から、頁用紙ごとに、前記所定の等間隔よりも短い寸法の所定の等間隔だけ、一方方向にずらした位置を始点として表示されている画像分割パターン表示領域が設けられていることを特徴とする冊子。
【請求項２】
前記連続した頁用紙束を、前記表表紙の方向にずらした際に小口側に現れる所定の絵柄の全体パターンと、前記連続した頁用紙束を、前記裏表紙の方向にずらした際に小口側に現れる所定の画像の全体パターンと、が異なる絵柄の全体パターンであることを特徴とする請求項１記載の冊子。
【発明の詳細な説明】
【技術分野】
【０００１】
本発明は、小口に写真、絵柄、漫画、イラスト、などの画像が表示されているパンフレット、週刊誌、漫画、雑誌、メモ帳、或いは手帳などの冊子に関する。
【背景技術】
【０００２】
従来、断裁後の製本の小口側端部にインクジェット等により印刷を行うことは周知である。（例えば、特許文献１、２  参照）
また、所謂辞書（例えば英和辞典等）は、ＡＢＣ・・・Ｚまでの索引が、頁用紙の表面と裏面の小口側端部から内側の領域に所定幅Ａ・所定高さＢの矩形領域に横線等の背景を設け、その背景の中に白抜きを設け、その白抜きの中に所定のアルファベットを設けて、例えば、Ａで始まる単語の頁が２０頁あれば、１０枚の頁用紙の裏表に上記印刷が形成されている。
ここで、辞書のような印刷では、小口側端部に絵柄等を表示することは難しい。
【０００３】
これに対して、従来技術のような断裁小口面への直接の印刷では、頁用紙の表裏面の小口側端部から内側の領域には印刷が形成されることはない。
したがって、ハードカバー本のように、物理的に書籍全体を丸めたりできない上製本構造であるならいざしらず、パンフレット、週刊誌、漫画、メモ帳、或いは手帳（手帳の場合には、皮製や樹脂製の表紙カバーを接着する、或いは表紙カバー内に装填する中身に相当する部分）のようなソフトカバーの並製本構造の冊子においては、手に取った冊子の背側を摘んで冊子全体を丸める方向で撓ませて（通常は、冊子全体を表表紙を外側にして裏表紙を内側にして撓ませるが、頁を戻る場合には、逆に冊子全体を裏表紙を外側にして表表紙を内側にして撓ませることもある）開いて読むものであり、断裁後の製本の小口側端部にインクジェット等により、印刷した冊子においては、隣接する頁用紙の絵柄の印刷されていない表裏の小口側端部側の紙の地色（白色）が見え、白で歯抜けになったような締りのない絵柄が表示されることとなり、体裁も悪く、目視した際に何が表示されているのか直ぐに認識しづらいという問題がある。
【先行技術文献】
【特許文献】
【０００４】
【特許文献１】実開昭５８−３９８７７号公報
【特許文献２】実開昭５９−２１９６６号公報
【発明の概要】
【発明が解決しようとする課題】
【０００５】
そこで、本発明は、小口に写真、絵柄、漫画、イラスト、などの白黒或いはカラー画像が表示されているパンフレット、週刊誌、漫画、雑誌、メモ帳、或いは手帳のようなソフトカバーの並製本構造の冊子において、手に取った冊子の背側を摘んで冊子全体を丸める方向で撓ませた状態にした場合でも、小口に表示された写真、絵柄、漫画、イラスト、などの白黒或いはカラー画像が連続的に一体化した状態で見えるようにして、従来のように、冊子全体を丸める方向で撓ませた際にも、隣接する頁用紙の紙の地色（白色）が見えて、白で歯抜けになったような締りのない絵柄とならないようにすることで、体裁も良く、更に目視した際に何が表示されているのか直ぐに認識しやすくすると共に、頁を捲る方向の違いにより、小口に異なる２種類の画像を表示することができるようにして、読者に画像の変化を楽しませることができるようにした冊子を提供する。
【課題を解決するための手段】
【０００６】
本発明の冊子は、表表紙と背表紙と裏表紙とが連接した表紙と、その表紙でくるんだ複数の頁用紙から構成される本文とを備え、前記背表紙が本文の背に接着されており、更に、天側と地側と小口側における表表紙と裏表紙の端縁位置が本文の端縁位置と同一である冊子であって、前記本文を構成する複数の頁用紙の全部又は一部であって、連続した頁用紙束を構成する各頁用紙の用紙面には、前記冊子の小口側の端部から背側方向に対する所定幅の領域に、所定の画像の全体パターンを縦方向に分割した画像分割パターンが表示されている画像分割パターン表示領域が設けられていることを特徴とする。
【０００７】
また、本発明の冊子は、前記連続した頁用紙束を構成する各頁用紙の用紙面において、前記画像分割パターン表示領域に表示された画像分割パターンは、所定の画像の全体パターンに対して、横方向に所定の等間隔として縦方向に分割した位置から、頁用紙ごとに、前記所定の等間隔よりも短い寸法の所定の等間隔だけ、一方方向にずらした位置を始点として所定の等間隔だけ分割させた画像分割パターンであることを特徴とする。
【０００８】
更に、本発明の冊子は、前記連続した頁用紙束を構成する各頁用紙の表側の用紙面と裏側の用紙面の両方に、画像分割パターン表示領域が設けられており、表側の用紙面の画像分割パターン表示領域には第一の画像の全体パターンを縦方向に分割した画像分割パターンが表示されており、裏側の用紙面の画像分割パターン表示領域には第二の画像の全体パターンを縦方向に分割した画像分割パターンが表示されており、冊子全体を表表紙を外側にして裏表紙を内側にして撓ませた際に小口側に前記第一の画像の全体パターンが現れ、冊子全体を裏表紙を外側にして表表紙を内側にして撓ませた際に小口側に前記第二の画像の全体パターンが現れることを特徴とする。
【発明の効果】
【０００９】
したがって、本発明の冊子は、連続した頁用紙束を構成する各頁用紙の用紙面には、冊子の小口側の端部から背側方向に対する所定幅の領域に、所定の画像の全体パターンを縦方向に分割した画像分割パターンが表示されている画像分割パターン表示領域が設けられているので、手に取った冊子の背側を摘んで冊子全体を丸める方向で撓ませた状態にした場合でも、小口に表示された写真、絵柄、漫画、イラスト、などの白黒或いはカラー画像が連続的に一体化した状態で見え、隣接する頁用紙の紙の地色（白色）が見えて、白で歯抜けになったような締りのない画像となることがなく、体裁も良く、更に目視した際に何が表示されているのか直ぐに認識しやすいという効果がある。
【００１０】
また、本発明の冊子は、画像分割パターン表示領域に表示された画像分割パターンは、所定の画像の全体パターンに対して、横方向に所定の等間隔として縦方向に分割した位置から、頁用紙ごとに、前記所定の等間隔よりも短い寸法の所定の等間隔だけ、元にずらした位置を始点として所定の等間隔だけ分割させた画像分割パターンであるので、手に取った雑誌の背側を摘んで冊子全体を丸める方向で撓ませた状態にした場合でも、隣接する頁用紙の紙の地色（白色）が見えて、白で歯抜けになったような締りのない画像となることがなく、体裁も良く、更に目視した際に何が表示されているのか直ぐに認識しやすく、小口に表示された写真、絵柄、漫画、イラスト、などの白黒或いはカラー画像が連続的に一体化した状態で、画像全体を原寸大の大きさとして表示させることができるという効果がある。
【００１１】
更に、本発明の冊子は、前記連続した頁用紙束を構成する各頁用紙の表側の用紙面と裏側の用紙面の両方に、画像分割パターン表示領域が設けられており、表側の用紙面の画像分割パターン表示領域には第一の画像の全体パターンを縦方向に分割した画像分割パターンが表示されており、裏側の用紙面の画像分割パターン表示領域には第二の画像の全体パターンを縦方向に分割した画像分割パターンが表示されており、冊子全体を表表紙を外側にして裏表紙を内側にして撓ませた際に小口側に前記第一の画像の全体パターンが現れ、冊子全体を裏表紙を外側にして表表紙を内側にして撓ませた際に小口側に前記第二の画像の全体パターンが現れる構成であるので、頁を捲る方向により冊子全体の撓ませ方が変化することで小口側に２種類の白黒或いはカラー画像を切り替えて表示させることができ、読者に画像の変化を楽しませることができるという効果がある。
【図面の簡単な説明】
【００１２】
【図１】本発明の実施形態に係る冊子の斜視図である。
【図２】本発明の実施形態に係る冊子を少しだけ一方方向に撓ませた状態を示す斜視図である。
【図３】本発明の実施形態に係る冊子を、図２に示す状態よりも大きく一方方向に撓ませた状態を示す斜視図である。
【図４】本発明の実施形態に係る冊子を、図３に示す状態とは逆方向に大きく撓ませた状態を示す斜視図である。
【図５】本発明の実施形態に係る冊子において、表表紙側に対向する頁に表示する画像の全体パターンを示す図。
【図６】本発明の実施形態に係る冊子において、裏表紙側に対向する頁に表示する画像の全体パターンを示す図。
【図７】本発明の実施形態に係る冊子において、表表紙側に対向する頁であって、（ａ）は、画像の全体パターンを縦方向に分割した画像分割パターンが最初に表示されている頁の表面図であり、（ｂ）は、（ａ）に示す頁の下側に重ねられている次の頁用紙の表面図である。
【図８】本発明の実施形態に係る冊子において、表表紙側に対向する頁であって、（ａ）は、画像の全体パターンを縦方向に分割した画像分割パターンが最後に表示されている頁の表面図であり、（ｂ）は、（ａ）に示す頁の上側に重ねられている手前の頁用紙の表面図である。
【図９】本発明の実施形態に係る冊子において、（ａ）は、表表紙側に対向する頁であって、画像の全体パターンを縦方向に分割した画像分割パターンが最初に表示されている頁の表面図であり、（ｂ）は、（ａ）に示す頁と同じ頁用紙の裏面側を示す裏面図である。
【図１０】本発明の実施形態に係る冊子において、（ａ）は、表表紙側に対向する頁であって、画像の全体パターンを縦方向に分割した画像分割パターンが最後に表示されている頁の表面図であり、（ｂ）は、（ａ）に示す頁と同じ頁用紙の裏面側を示す裏面図である。
【図１１】本発明の実施形態に係る冊子を製造する工程において、無線綴製本工程に供される印刷済みの頁用紙であって、画像の全体パターンを縦方向に分割した画像分割パターンが最初に表示されている頁表紙の表面図であり、（ｂ）は、（ａ）に示す頁と同じ頁用紙の裏面側を示す裏面図である。
【図１２】本発明の実施形態に係る冊子を製造する工程において、無線綴製本工程に供される印刷済みの頁用紙であって、画像の全体パターンを縦方向に分割した画像分割パターンが最後に表示されている頁の表面図であり、（ｂ）は、（ａ）に示す頁と同じ頁用紙の裏面側を示す裏面図である。
【図１３】本発明の実施形態に係る冊子を製造する工程において使用される無線綴製本機における設置の一例を示す絵図である。
【図１４】本発明の実施形態に係る冊子を製造する工程において使用される無線綴製本機における無線綴部の構成の一例を示す絵図である。
【発明を実施するための形態】
【００１３】
以下、本発明の実施形態に係る冊子を図面に基づいて詳細に説明する。
図１に示すように、本発明の実施形態に係る冊子１は、表表紙４と背表紙７と裏表紙５とが連接した表紙と、その表紙でくるんだ複数の頁用紙６から構成される本文とを備え、背表紙７の内側が対向する本文の背部分にホットメルト接着剤にて接着されており、更に、天側と地側と小口側における表表紙と裏表紙の端縁位置が本文の端縁位置とが、製本の最終工程である三方断裁工程において切り揃えられることにより、同一（面一）となっている無線綴形態の冊子であって、冊子１の小口側端部２に、一例として「両手を挙げて走っている人」を示す絵柄の画像３ａ（第一の画像）が表示されている。
この絵柄の画像３ａは、冊子１の表表紙４の方向から見た場合に特に見やすく表示されている。
また、この冊子１は、図２に示すように、冊子１の表表紙４の側が歪曲するように少しだけ冊子全体を丸めて撓ませた場合（冊子全体を、表表紙を外側にして裏表紙を内側にして撓ませた場合）には、冊子１の小口側端部２に表示されている絵柄の画像３ａが横幅方向に更に少しだけ広く且つ明瞭に状態で表示される。
更に、図３には、図２に示す状態よりも、更に冊子全体を丸めて撓ませた場合において、冊子１の小口側端部２に表示されている絵柄の画像３ａが、図２に示す状態よりも、更に横幅方向に広い状態で表示されることが示されている。
【００１４】
上記のように、本発明の実施形態に係る冊子１は、冊子全体を徐々に丸めて撓ませた場合に、冊子１の小口側端部２に表示されている絵柄の画像３ａも、徐々に横幅方向に広い状態として大きく見やすく表示されるように構成されている。
そして、冊子１は、冊子全体を丸めて撓ませた場合でも、冊子１の小口側端部２に表示されている絵柄の画像３ａが切れ目なく連続的に表示されるように構成されていることが特徴となっている。
【００１５】
また、本発明の実施形態に係る冊子１は、図１〜図３に示したのとは反対方向に冊子全体を徐々に丸めて撓ませた場合、つまり、裏表紙５の側が歪曲するよう冊子全体を丸めて撓ませた場合（冊子全体を、裏表紙を外側にして表表紙を内側にして撓ませた場合）には、図４に示すように、冊子１の小口側端部２に絵柄の画像３ａとは異なる絵柄の画像３ｂ（第二の画像）が表示されるように構成されている。
図４に示す場合では、絵柄の画像３ａとは異なる絵柄の画像３ｂとして、「片手を頭に置いている人」の絵柄の画像３ｂが、その一例として表示されている。
尚、絵柄の画像３ａと絵柄の画像３ｂとは、異なる絵柄の画像であればどのような内容の絵柄であってもよく、冊子の製作者側で任意に選択して用いればよく、上記の実施形態で用いた絵柄に限定されるものではない。
【００１６】
次に、本発明の実施形態に係る冊子１について、冊子全体を丸めて撓ませた場合に、どのような構成で、冊子１の小口側端部２に絵柄の画像３ａまたは絵柄の画像３ｂが表示されるのかについて、下記に具体的に説明する。
まず、図５及び図６に示すように、最初に２種類の異なる絵柄の画像を用意する。
図５に示す「両手を挙げて走っている人」の絵柄の画像３ａは、表表紙４と背表紙７と裏表紙５とが連接した表紙でくるんだ複数の頁用紙６から構成される本文において、この本文を構成する複数の頁用紙６（仮に１２０枚とする）の一部（仮に１００枚とする）である連続した頁用紙束（表表紙４側の１０枚と裏表紙５側の１０枚を除いた残りの１００枚）を構成する各頁用紙の用紙面であって、表表紙４が設けられている側に対向する頁用紙の表側の面に表示させる画像の全体パターンであり、これを表側画像Ｘ（第一の画像）として説明する。
【００１７】
また、図６に示す「片手を頭に置いている人」の絵柄の画像３ｂは、表表紙４と背表紙７と裏表紙５とが連接した表紙でくるんだ複数の頁用紙６から構成される本文において、この本文を構成する複数の頁用紙６（仮に１２０枚とする）の一部（仮に１００枚とする）である連続した頁用紙束（表表紙４側の１０枚と裏表紙５側の１０枚を除いた残りの１００枚）を構成する各頁用紙の用紙面であって、裏表紙５が設けられている側に対向する頁用紙の裏側の面に表示させる画像の全体パターンであり、これを裏側画像Ｙ（第二の画像）として説明する。
なお、ここでは、本文を構成する複数の頁用紙６の一部である連続した頁用紙束を構成する各頁用紙の表裏の用紙面にそれぞれ２つの画像を表示される場合を示すが、例えば、本文を構成する複数の頁用紙６が仮に１００枚で画像を表示するのに必要な頁用紙６が仮に１００枚とした場合には、本文を構成する複数の頁用紙の全部を用いて画像を表示させることとなる。
【００１８】
そして、表側画像Ｘと裏側画像Ｙとについて、予め設定した始点の位置Ｚ１から右側方向に対して、所定幅Ａの領域に表示されている短冊画像をそれぞれ一つ抽出する。
例えば、所定幅Ａを３ｍｍとした場合に、表側画像Ｘについては、始点の位置Ｚ１の０ｍｍから右側方向に対して、３ｍｍの幅の間の領域に表示されている画像を短冊画像Ｘ１とし、また、同様に所定幅Ａを３ｍｍとした場合に、裏側画像Ｙについては、始点の位置Ｚ１の０ｍｍから右側方向に対して、３ｍｍの幅の間の領域に表示されている画像を短冊画像Ｙ１とする。
【００１９】
ここで抽出された短冊画像Ｘ１と短冊画像Ｙ１とは、所定の１枚の頁用紙の表裏面に表示される短冊画像となる。
図９には、同じ１枚の頁用紙の表裏面に短冊画像Ｘ１と短冊画像Ｙ１とが表示されている状態が示されているが、短冊画像Ｘ１は、図９（ａ）に示すように、１枚の頁用紙の表表紙４側に位置する面であって、冊子の小口側の端部から背側方向に対する所定幅の領域に表示されている。
また、短冊画像Ｙ１は、図９（ｂ）に示すように、同じ１枚の頁用紙の裏表紙５側に位置する面であって、冊子の小口側の端部から背側方向に対する所定幅の領域に表示されている。
図１０には、同じ１枚の頁用紙の表裏面に短冊画像Ｘ１００と短冊画像Ｙ１００とが表示されている状態が示されているが、短冊画像Ｘ１００は、図１０（ａ）に示すように、１枚の頁用紙の表表紙４側に位置する面であって、冊子の小口側の端部から背側方向に対する所定幅の領域に表示されている。
また、短冊画像Ｙ１００は、図１０（ｂ）に示すように、同じ１枚の頁用紙の裏表紙５側に位置する面であって、冊子の小口側の端部から背側方向に対する所定幅の領域に表示されている。
【００２０】
上記した短冊画像Ｘ１及び短冊画像Ｙ１は、それぞれ画像の全体パターンを所定間隔で分割した最初の画像分割パターンであるが、２つ目の画像分割パターンを抽出する場合には、短冊画像Ｘ１及び短冊画像Ｙ１を抽出した際に用いた始点の位置Ｚ１とは異なる位置を始点の位置Ｚ２とする。
つまり、２つ目の画像分割パターンを抽出する場合の始点の位置Ｚ２は、最初の始点の位置Ｚ１から、所定幅Ａよりも短い寸法だけ右方向にずらした位置を始点とする。
例えば、２つ目の画像分割パターンを抽出する場合の始点の位置Ｚ２は、最初の始点の位置Ｚ１から、間隔Ｂだけ右方向にずらした位置を始点の位置Ｚ２とする。
ここでは、例えば間隔Ｂを０．３ｍｍとして、０．３ｍｍだけ右方向にずらした位置を始点の位置Ｚ２とする。
【００２１】
そして、その始点の位置Ｚ２から右側方向に対して、３ｍｍの幅の間の領域に表示されている画像を短冊画像Ｘ２とし、また、裏側画像Ｙについては、始点の位置Ｚ２から右側方向に対して、３ｍｍの幅の間の領域に表示されている画像を短冊画像Ｙ２とする。
ここで抽出された短冊画像Ｘ２と短冊画像Ｙ２とが、上記した短冊画像Ｘ１と短冊画像Ｙ１を表示させた頁用紙の次の頁用紙の表裏面にそれぞれ表示されることになる。
【００２２】
上記のようにして、表側画像Ｘと裏側画像Ｙとをそれぞれ分割させて画像分割パターンの作成を繰り返していくと、例えば、表側画像Ｘと裏側画像Ｙとの画像幅の寸法が３２．７ｍｍ、間隔Ａを３ｍｍ、間隔Ｂを０．３ｍｍとした場合に、（３２．７ｍｍ−３ｍｍ）÷０．３ｍｍ＋１（最初の一つ目）＝１００個の短冊画像ができることになる。
そして、これらの１００個の短冊画像を頁用紙に表示することで１００枚の連続した頁用紙束を構成する各頁用紙の表裏の用紙面にこれらの画像分割パターンが表示され、冊子全体を徐々に丸めて撓ませた場合に、画像分割パターンが表示された１００枚の連続した頁用紙束において、冊子の小口側端部２にそれらの表側画像Ｘや裏側画像Ｙを撓ませる方向により見ることができるようになっている。
【００２３】
つまり、表側画像Ｘや裏側画像Ｙの画像を分割する際に始点が、少しの寸法だけ、例えば前記したように０．３ｍｍだけ横方向にずらした位置になるように微妙に変化させて、短冊画像Ｘや短冊画像Ｙを抽出させているので、短冊画像Ｘ１と短冊画像Ｘ２とを比較すると略同じに見えるが、拡大して比較すると、短冊画像Ｘ２は、短冊画像Ｘ１の左端を０ｍｍとした場合に、０ｍｍ〜０．３ｍｍの横幅領域の部分が存在しない。
また、短冊画像Ｘ２の左端を０ｍｍとした場合に、０ｍｍ〜０．３ｍｍの横幅領域の部分は、短冊画像Ｘ１の左端から０．３ｍｍ〜０．６ｍｍの横幅領域の部分と一致する画像となっている。
また、短冊画像Ｘ２の左端から０．３ｍｍ〜０．６ｍｍの横幅領域の部分は、短冊画像Ｘ１の左端から０．６ｍｍ〜０．９ｍｍの横幅領域の部分と一致する画像となっている。
【００２４】
更に、短冊画像Ｘ２の右端から０．６ｍｍ〜０．３ｍｍの横幅領域の部分は、短冊画像Ｘ１の右端から０．３ｍｍ〜０ｍｍの横幅領域の部分と一致し、短冊画像Ｘ２の右端から０．３ｍｍ〜０ｍｍの横幅領域の部分は、短冊画像Ｘ１には存在しないで、次頁に表示されている。
このようにして、例えば、表側画像Ｘと裏側画像Ｙとの画像幅の寸法が３２．７ｍｍ、間隔Ａを３ｍｍ、間隔Ｂを０．３ｍｍとした場合に、短冊画像Ｘ１〜Ｘ１００、短冊画像Ｙ１〜Ｙ１００、のそれぞれ１００個の短冊画像が用いられる。
【００２５】
つまり、本発明では、表側画像Ｘや裏側画像Ｙの画像の全体パターンを単純に等間隔で分割した画像分割パターンを用いるのではなく、表側画像Ｘや裏側画像Ｙの画像を分割する幅寸法が同じ（間隔Ａで、３ｍｍで共通）であっても、順番に分割する際の始点の位置を一方方向に少しだけ（間隔Ｂで０．３ｍｍ）ずらした位置を始点として、順時に始点の位置を変化させることで複数の画像分割パターンを抽出しているので、冊子全体を徐々に丸めて撓ませた場合にも、各頁の間に画像の切れ目が生じることなく、冊子の小口側端部２に連続的な画像が表れるように工夫されている。
したがって、冊子１全体を、表表紙４を外側にして裏表紙５を内側にして撓ませると、小口側端部２が斜めになり、本文を構成する頁用紙６が少しずつずれ重なった状態となる。
ここで、本文を構成する各頁用紙６の表面の小口側の端縁からずれ量（例えば、０．３ｍｍ）分だけ背側に後退した領域が表側から見えることになり、当然に、短冊画像Ｘ１の０．３ｍｍ分、短冊画像Ｘ２の０．３ｍｍ分、…短冊画像Ｘ１００の０．３ｍｍ分が同時に見えることになる。
そうすると、間隔Ｂ（０．３ｍｍ）と撓ませた状態での小口側端部のずれ量（０．３ｍｍ）が一致すれば、モンタージュ写真が完成したときのように、表側画像Ｘ（第一の画像）の全体パターンが明瞭に見えるようになる。
【００２６】
尚、上記の説明で、所定幅Ａを３ｍｍ、間隔Ｂを０．３ｍｍとした寸法と、図５及び図６において、表側画像Ｘ及び裏側画像Ｙに対して、始点の位置Ｚ１から始点の位置Ｚ２までの間隔とが、０．３ｍｍよりもかなり広く示されているが、これは理解しやすくするために誇張して示されている。
また、これまでの説明では、間隔Ａを３ｍｍ、間隔Ｂを０．３ｍｍ、表側画像Ｘと裏側画像Ｙとの画像幅の寸法が３２．７ｍｍ、画像分割パターンが表示された連続した頁用紙束を１００枚としたが、これに限定されるものではない。
例えば、漫画の月刊誌のような小口端部の厚みが１００ｍｍ以上ある冊子であれば、表側画像Ｘと裏側画像Ｙとの画像幅の寸法をより大きく設定することで大きな宣伝効果が期待できるし、手帳の中身のような小口端部の厚みが１０ｍｍ以下の冊子であれば、表側画像Ｘと裏側画像Ｙとの画像幅の寸法をより小さく設定しなければならない。
また、画像分割パターンが表示し得るいわゆる本文を構成する頁用紙の最大数は小口端部の厚みのみで決まるものではなく、小口端部の厚みと頁用紙の厚みで変動するものである。
したがって、冊子の種類、紙質、得意先の希望する表示画像のサイズ等の種々の条件を検討して、間隔Ａ、間隔Ｂ、表側画像Ｘと裏側画像Ｙとの画像幅の寸法、画像分割パターンが表示された連続した頁用紙束の枚数を検討することになる。
【００２７】
次に、上記した、短冊画像Ｘ１〜Ｘ１００、短冊画像Ｙ１〜Ｙ１００、のそれぞれ１００個の短冊画像を頁用紙に印刷した冊子を製造する際の手順について以下に説明する。
ここでは、本文が１２０枚の頁用紙で構成され、このうちの１００枚の連続した頁用紙束を構成する各頁用紙の表裏面に表側画像Ｘと裏側画像Ｙの短冊画像が印刷されるとともに、１２０枚の頁用紙の表裏面に罫線等の所望の印刷が形成された手帳の中身を製造する工程に代表させて説明する。
【００２８】
まず、手帳の中身のうち表紙を除く本文を構成する１２０の頁用紙のうち、最初の１０枚（１枚目〜１０枚目）の表裏面には手帳としての罫線等の印刷のみを施し、１１枚目〜１１０枚目の表裏面には罫線等の印刷と短冊画像Ｘ１〜Ｘ１００と短冊画像Ｙ１〜Ｙ１００の両方の印刷を施し、最後の１０枚（１１１枚目〜１２０枚目）の表裏面には手帳としての罫線等の印刷のみを施す。
ここで、念のため断っておくが、短冊画像については、１１枚目の頁用紙の表面の小口側端部から内側にかけての領域に短冊画像Ｘ１を印刷し裏面の小口側端部から内側にかけての領域に短冊画像Ｙ１を印刷する。
１２枚目の頁用紙の表面の小口側端部から内側にかけての領域に短冊画像Ｘ２を印刷し裏面の小口側端部から内側にかけての領域に短冊画像Ｙ２を印刷する。
以下、この順で、最後の１１０枚目の頁用紙の表面の小口側端部から内側にかけての領域に短冊画像Ｘ１００を印刷し裏面の小口側端部から内側にかけての領域に短冊画像Ｙ１００を印刷することになる。
【００２９】
これらの印刷は、いわゆるオンデマンド印刷で行う。オンデマンド印刷とは、オンデマンド（ｏｎ  ｄｅｍａｎｄ:要求に応じて）印刷することを意味しており、「必要なものを、必要な時に、必要な数だけ」印刷するのに適したシステムである。
フィルム製版、ＣＴＰ刷版といったオフセット印刷に必要な工程が無く、デジタルデータを直接出力するデジタル印刷機を使用する。
オフセット印刷と比較すると若干品質が劣るとも言われているが、最新鋭のオンデマンド印刷機（デジタルフルカラー印刷機）なら十分な品質が得られる。
特に、本発明のように隣接する頁用紙に印刷する短冊画像が少しずつシフトした異なる画像である場合には、オンデマンド印刷が納期・コストの点でも望ましいものである。
図１１（ａ）には１１枚目の頁用紙６ａの表面の小口側端部近傍から内側にかけての領域に短冊画像Ｘ１が印刷された状態の印刷物の平面図が、図１１（ｂ）には１１枚目の頁用紙６ａの裏面の小口側端部近傍から内側にかけての領域に短冊画像Ｙ１が印刷された状態の印刷物の平面図示されており、図１２（ａ）には、１１０枚目の頁用紙６ａの表面の小口側端部近傍から内側にかけての領域に短冊画像Ｘ１００が印刷された状態の印刷物の平面図が、図１２（ｂ）には、１１０枚目の頁用紙６ａの裏面の小口側端部近傍から内側にかけての領域に短冊画像Ｘ１００が印刷された状態の印刷物の平面図が、示されている。
なお、手帳としての罫線等の印刷は図面では省略している。
【００３０】
ここで、図１１に示す１１枚目の頁用紙６ａは図９に示す頁用紙６ａより若干サイズが大きい。
このため、図９の頁用紙６ａでは短冊画像Ｘ１と短冊画像Ｙ１が小口端部にまで達するように配置されているが、図１１の頁用紙６ａでは短冊画像Ｘ１と短冊画像Ｙ１が小口端部にまで達するように配置されておらず、短冊画像Ｘ１と短冊画像Ｙ１が形成された位置は小口端部から背側に向かって若干後退した一点鎖線Ｃ１で示す手前までとなっている。この関係は、図１２と図１０においても同様である。
これは、図１１、図１２が、無線綴製本工程を経ていない印刷が行われただけのシート状印刷物（輪転印刷機のデリバリーから排出される折丁ではない趣旨で、シート状印刷物と定義している）の状態を平面的に俯瞰するものであるのに対し、図９と図１０は、これらのシート状印刷物及び表紙材を材料として準備し、無線綴製本工程（本文を構成する印刷済み頁用紙の集積・本文を構成する印刷済み頁用紙の集積体と表紙材の背側でのホットメルト接着剤による接着・天地小口側での三方断裁）を経て完成した無線綴形態の冊子から抜き取った頁用紙６ａの状態を平面的に俯瞰するものであることによる。
つまり、図１１と図１２の頁用紙６ａは、天地小口の三方断裁がなされていないので、その断裁代の部分（主に余白が多い）だけ全体のサイズが大きくなっており、小口側の断裁代（小口側端縁と一点鎖線Ｃ１との間）が存在するので、短冊画像Ｘ１（Ｘ１００）と短冊画像Ｙ１（Ｙ１００）が形成された位置は小口端部から背側に向かって若干（小口側の断裁代の長さだけ）後退しているように見えるものである。
【００３１】
こうして、オンデマンド印刷により、１枚目の頁用紙の表裏に手帳としての罫線等を印刷した１枚目の印刷済みの頁用紙を出力する。
次に、２枚目の頁用紙の表裏に手帳としての罫線等を印刷した２枚目の印刷済みの頁用紙を出力する。
これらの処理を繰り返して、１０枚目までの印刷済みの頁用紙を出力する。
次に、オンデマンド印刷により、１１枚目の頁用紙の表面の小口側端部から内側にかけての領域に短冊画像Ｘ１を印刷し同時に表裏に手帳としての罫線等を印刷し、また、１１枚目の頁用紙の裏面の小口側端部から内側にかけての領域に短冊画像Ｙ１を印刷し同時に手帳としての罫線等を印刷して１１枚目の印刷済みの頁用紙を出力する。
次に、１２枚目の頁用紙の表面の小口側端部から内側にかけての領域に短冊画像Ｘ２を印刷し同時に表裏に手帳としての罫線等を印刷し、また、１２枚目の頁用紙の裏面の小口側端部から内側にかけての領域に短冊画像Ｙ２を印刷し同時に手帳としての罫線等を印刷して１２枚目の印刷済みの頁用紙を出力する。
これらの処理を繰り返して、１１０枚目までの印刷済みの頁用紙を出力する。
【００３２】
最後に、オンデマンド印刷により、１１１枚目の頁用紙の表裏に手帳としての罫線等を印刷した１１１枚目の印刷済みの頁用紙を出力する。
次に、１１２枚目の頁用紙の表裏に手帳としての罫線等を印刷した１１２枚目の印刷済みの頁用紙を出力する。
これらの処理を繰り返して、１２０枚目までの印刷済みの頁用紙を出力する
こうして、手帳の中身のうち表紙を除く本文を構成する１２０枚分の印刷済み頁用紙が全て出力されるが、頁用紙１１枚目から１１０枚目までの表裏面については、各頁用紙に対して、通常の手帳としての罫線等の印刷の他に、短冊画像Ｘ１〜Ｘ１００、短冊画像Ｙ１〜Ｙ１００、それぞれ１００個の短冊画像を頁用紙の表裏面に印刷されることになる。
ここで、オンデマンド印刷を行うことにより、手帳の中身のうち表紙を除く本文を構成する１２０枚分の頁用紙の所望の頁用紙に短冊画像を印刷することが可能となる。
例えば、１枚目〜１００枚目までに短冊画像を印刷し１０１枚目〜１２０枚目には短冊画像を印刷しない仕様も、短冊画像をその他の条件との関係で５０個にしたり、１１０個にしたりする場合もあるが、これらの印刷に適切に対応することが出来る。
【００３３】
なお、後の無線綴製本工程で例えば１０００部の冊子を製造することを考慮すれば、このオンデマンド印刷工程においては、１枚目〜１２０枚目まで１０００枚ずつ出力しておき後述する無線綴製本機で丁合することが製造コスト的には好ましいが、これに限る必要はない。
例えば、１枚目〜１２０枚目まで１枚ずつ出力して、１２０枚のシートが出力されると印刷機の排出部側では頁丁合が予めなされることになり、小部数（小冊数）の場合であれば、後述する丁合から三方断裁までを一貫して加工する無線綴製本機のような加工装置を用いることなく、丁合済み（頁丁合済み）の本文を構成する複数の頁用紙束を直接手差しで供給し、無線綴加工や三方断裁を行う簡易な無線綴機で製本加工することも可能である。
【００３４】
そして、これらの短冊画像Ｘ１〜Ｘ１００、短冊画像Ｙ１〜Ｙ１００、手帳としての罫線等を印刷した頁用紙１１枚目〜１１０枚目を含む頁用紙束１２０枚（本文を構成する）を準備し、別途、適宜印刷の施された表紙（表表紙と背表紙と裏表紙の３つの領域からなる。
あらかじめ、各表紙間に押し罫線を形成しておくこともある。）を準備しておき、この表紙にて本文（１２０枚の頁用紙）をくるんで、表紙の背表紙の内側と本文の背側をホットメルト接着剤で固着し、次いで、天側・地側・小口側の端部を三方断裁して、無線綴じされた冊子（ここでは手帳の中身）が出来上がる。
この三方断裁（仕上げ断裁とも化粧断ちとも言われる）を経た冊子では、図１に示すように、表表紙４と背表紙７と裏表紙５とが連接した表紙と、その表紙でくるんだ複数の頁用紙６から構成される本文とを備え、背表紙７の内側が対向する本文の背部分にホットメルト接着剤にて接着されており、更に、天側と地側と小口側における表表紙と裏表紙の端縁位置が本文の端縁位置とが、製本の最終工程である三方断裁工程において切り揃えられることにより、同一（面一）となっている無線綴形態の冊子が完成する。
【００３５】
なお、本文を構成する頁用紙の小口断裁代は、図１１及び図１２に示す一点鎖線Ｃ１の位置（小口断裁位置）の付近（多少ずれることがある）で断裁することにより除去されているので、１１枚目〜１１０枚目の頁用紙においては、図９及び図１０に示すように、頁用紙の表裏の小口側端部にまで達する印刷面（短冊画像）が形成されている。
したがって、小口近傍の四角で囲った上記短冊画像の印刷領域においては、例えば、画像が人で場合には、その人の体の部分のみならず、その背景部分についても印刷されているので、この印刷領域においては、背景が白い部分を除けば、全てにインクが付着されていることになるので、小口端部においても、画像Ｘと画像Ｙは、冊子全体が撓んでいない状態であっても、小口端部を見れば薄っすらと現出している（目視できる）場合がある。
【００３６】
ここで、本発明の冊子を製造するための製造装置の一例として丁合から三方断裁までを一貫して加工する無線綴製本機について、簡単に説明しておく。
図１３に一例を示す無線綴製本機において、無線綴製本機は丁合機１０１、バインダー１０２、カバーフィーダ１０３、レイダウンコンベア１０４、不良品排出手段１０６、三方断裁機１０７、等を連結した構成を有する。
丁合機１０１は本文を構成する頁用紙を、順番を揃えて１冊分ずつまとめる動作を行う。
バインダー１０２およびカバーフィーダ１０３は、無線綴部とも呼ばれており、図１４により詳しい絵図が示されている。
図１４において、バイブレータ部２０１は１冊分ずつまとめられた頁用紙（本文）の背部分の位置を揃えて背部分を平らにする。ミーリング部２０２は背部分を切り削る。
サンディング部２０３はミーリングした背部分を仕上げる。ラフニング部２０４はガリを入れる。
ブラッシング部２０５は背部分に付着した紙粉を除去する。背糊付部２０６は背部分に糊（ホットメルト系の接着剤）を塗工する。横糊付部２０７は必要な場合にはノド元へ糊を塗工する。
【００３７】
表紙フィーダ部２０８は表紙を供給する。
表紙くるみ同調部２０９はその表紙とまとめられた１冊分の頁用紙（ここでは「本文」という）とを同調させて所定の位置においてくるみ貼り合わせる。
プレス部２１０は貼り合わせた後の背部分を押圧して密着し糊付けを完全にするとともに成形しクルミ本と成す。
このクルミ本はバインダー出口２１１より排出され、レイダウン部２１２によって寝かせ置かれ移送される。
レイダウンコンベア１０４上のクルミ本はコンベアによって搬送され、不良品排出手段１０６に至り、そのクルミ本が適宜の検地装置により不良
品であると判定された場合には不良品排出手段１０６において不良品スタックに排出される。
そのクルミ本が良品である場合には三方断裁機１０７に至り、三方断裁機１０７において天地・小口側の三方断裁（仕上げ断裁とも化粧断ちとも言われる）が行われ、良品スタックに排出される。
以上が、本発明の冊子を製造するための製造装置の一例として無線綴製本機を説明したが、これらの各工程（丁合・無線綴・三方断裁）がオフラインの機械でなされる場合もある。
【００３８】
なお、丁合から三方断裁までを一貫して加工する無線綴製本機は、丁合機・無線綴機・三方断裁機をコンベアに沿って配置することで、印刷物を丁合機のフィーダーにセットするだけで冊子１までの仕上げ加工出来る一貫製造ラインであるが、丁合機を備えない無線綴加工機もあり、三方断裁機を備えない無線綴加工機もある。
例えば、上述した丁合から三方断裁までを一貫して加工する無線綴製本機において、上流側の丁合機を備えない丁合工程を備えない無線綴加工機であれば、図１４に示すコンベアの入口側（図中で「丁合機より」と記載している位置）に手差し供給部が設けられており、作業員が、丁合済み（頁丁合済み）の本文を構成する複数の頁用紙束を直接手差しで供給し、無線綴加工や三方断裁を行うことで冊子１に仕上げ加工することが出来る。
【００３９】
更に、三方断裁も備えない小型の無線綴機であれば、図１４の無線綴加工のみを行うものであるので、図１４に示すコンベアの入口側に設けられた手差し供給部から丁合済み（頁丁合済み）の本文を構成する複数の頁用紙束を直接手差しで供給し、コンベアの出口側でクルミ本が排出され、このクルミ本を一旦パレット上に積載して、これを別フロアにある断裁機（これは刃物が一つしかない枚葉印刷物の束を断裁する一般的な断裁機）脇にまで運んで、このオフラインの断裁機にて天地小口を仕上げ断裁（化粧断ちとも言う）を行うことで冊子１に仕上げ加工することが出来る。
ここで、上述した丁合から三方断裁までを一貫して加工する無線綴製本機以外の加工機を用いる場合には、特に、丁合済み（頁丁合済み）の本文を構成する複数の頁用紙束を所定部数（例えば１００部）予め準備することが必須であり、これを準備する点においても、オンデマンド印刷機が排出部で丁合が出来る点で好適である。
【００４０】
こうして完成した、冊子１の全体を撓ませると、隣接する頁用紙は僅かずつ、ズレ重なりながら小口端部の面積が広がるので、例えば、幅３０ｍｍの画像Ｘと、幅３０ｍｍの画像Ｙとを原寸大のまま印刷した場合であれば、冊子１を撓ませて、１１枚目〜１１０枚目の小口幅が３０ｍｍに広がった時、適正な全体画像が現出することになる。
更に、冊子を撓ませて、頁用紙１１枚目〜１１０枚目の小口幅が５０ｍｍに広がった時、適正な画像を横に膨らませた変わった趣向の画像Ｘと、画像Ｙとがそれぞれ現出することになる。
【００４１】
なお、冊子の形態としては、無線綴形態以外にも中綴形態がある。
しかし、中綴形態の冊子では、中綴じ用の針で綴じられる冊子の中央部分が大きく開くつまりずれが大きくなる傾向があるので、画像の中央部が少し膨れた全体画像が現出することになってしまうので、適正な全体画像が現出させる点では問題がある。
また、冊子を構成する本文を構成する頁用紙をオンデマンド印刷による出力物、前述したように無線綴製本工程を経ていない印刷が行われただけの状態ではシート状印刷物としたのは、輪転印刷機のデリバリーから排出される折丁では隣接する頁用紙に少しずつずれた短冊画像を配置する如き精度の高い印刷物の形成は困難であることも理由である。
輪転印刷機のデリバリーから排出される折丁は、展開した状態で折丁の小口となる位置に正確に短冊画像を配置（印刷形成）する必要があり、印刷機のデリバリー側の折機の折精度を考えると、出来上がった折丁を三方断裁しても隣接する頁用紙に少しずつずれた短冊画像を配置する状態とすることはきわめて困難である。
その点で、折丁を使う必要のある、中綴本形態の冊子、アジロ綴形態の冊子、糸綴じした折丁をホットメルトで背固めした形態の冊子（辞書に多い）においても、適正な全体画像が現出させる点では問題がある。
【００４２】
なお、本発明の冊子の実施形態としては、表側画像Ｘと裏側画像Ｙを切り替えて見えるようにしているが、これは一例であって、表側画像Ｘだけ、或いは裏側画像Ｙだけを現出させる形態であっても構わない。
更に、表側画像Ｘ、裏側画像Ｙは、モノクロ印刷機で印刷すれば白黒画像となるが、カラー印刷機で印刷すればカラー画像となり、カラー画像の方が、手に取った者に対する訴求力の点で好ましい。
【００４３】
上記のように本発明の冊子は作製される。
したがって、本発明の冊子１には、本文を構成する複数の頁用紙の全体又は一部であって、連続した頁用紙束を構成する各頁用紙の用紙面には、前記冊子の小口側の端部から背側方向に対する所定幅の領域に、所定の画像の全体パターンを縦方向に分割した画像分割パターンが表示されている画像分割パターン表示領域が設けられており、また、前記連続した頁用紙束を構成する各頁用紙の用紙面において、前記画像分割パターン表示領域に表示された画像分割パターンは、所定の画像の全体パターンに対して、横方向に所定の等間隔として縦方向に分割した位置から、頁用紙ごとに、前記所定の等間隔よりも短い寸法の所定の等間隔だけ、一方方向にずらした位置を始点として所定の等間隔だけ分割させた画像分割パターンが表示されている。
【００４４】
更に、本発明の冊子１には、前記連続した頁用紙束を構成する各頁用紙の表側の用紙面と裏側の用紙面の両方に、画像分割パターン表示領域が設けられており、表側の用紙面の画像分割パターン表示領域には第一の画像の全体パターンを縦方向に分割した画像分割パターンが表示されており、裏側の用紙面の画像分割パターン表示領域には第二の画像の全体パターンを縦方向に分割した画像分割パターンが表示されており、冊子全体を、表表紙を外側にして裏表紙を内側にして撓ませた際に小口側に前記第一の画像の全体パターンが現れ、冊子全体を、裏表紙を外側にして表表紙を内側にして撓ませた際に小口側に前記第二の画像の全体パターンが現れる構成を有しているものである。
【符号の説明】
【００４５】
１  本発明の実施形態に係る冊子
２  小口側端部
３ａ  「両手を挙げて走っている人」を示す絵柄の画像
３ｂ  「片手を頭に置いている人」の絵柄の画像
４  表表紙
５  裏表紙
６  頁用紙
７  背表紙
１０１  無線綴製本機は丁合機
１０２  バインダー
１０３  カバーフィーダ
１０４  レイダウンコンベア
１０６  不良品排出手段
１０７  三方断裁機
２０１  バイブレータ部
２０２  ミーリング部
２０３  サンディング部
２０４  ラフニング部
２０５  ブラッシング部
２０６  背糊付部
２０７  横糊付部
２０９  表紙くるみ同調部
２１０  プレス部
２１１バインダー出口
Ｘ  表側画像
Ｙ  裏側画像
Ｘ１，Ｘ２，Ｘ２９９，Ｘ３００  表側の短冊画像
Ｙ１，Ｙ３００  裏側の短冊画像
Ｚ１，Ｚ２  始点の位置
【図１】
0005391879.tif 000002
【図２】
0005391879.tif 000003
【図３】
0005391879.tif 000004
【図４】
0005391879.tif 000005
【図５】
0005391879.tif 000006
【図６】
0005391879.tif 000007
【図７】
0005391879.tif 000008
【図８】
0005391879.tif 000009
【図９】
0005391879.tif 000010
【図１０】
0005391879.tif 000011
【図１１】
0005391879.tif 000012
【図１２】
0005391879.tif 000013
【図１３】
0005391879.tif 000014
【図１４】
0005391879.tif 000015